(57)【要約】【課題】マルチパートメールを受信する電子メール受信装置において、ユーザが所望するパートを転送又は保存することができる電子メール受信装置を提供すること。【解決手段】本発明の電子メール受信装置１は、受信されたマルチパートメールに含まれる複数のパートの一部又は全部をデコード処理するコーデック６と、コーデック６によるデコード処理の結果を格納する記憶部２ｆと、処理対象とするパートを設定する設定部２ｈと、設定部２ｈにより設定された内容、及び記憶部２ｆに格納されているデコード処理の結果に基づいて、受信されたマルチパートメールに含まれる複数のパートから処理対象とするパートを選択する処理対象パート選択部２ｉと、処理対象パート選択部２ｉにより選択されたパートを転送又は保存する処理を行う転送保存処理部２ｊと、を備える。【選択図】図３
2007102413.tif 000002
【特許請求の範囲】
【請求項１】
それぞれ特性情報が付加された複数のパートを含むマルチパートメールを受信する電子メール受信装置であって、
前記マルチパートメールを受信する受信手段と、前記特性情報に基づいて、前記受信手段により受信されたマルチパートメールに含まれる複数のパートの一部又は全部をデコード処理する第１の処理手段と、前記第１の処理手段による前記デコード処理の結果を格納する記憶手段と、処理対象とするパートを設定する設定手段と、前記設定手段により設定された内容、及び前記記憶手段に格納されている前記デコード処理の結果に基づいて、前記受信手段により受信されたマルチパートメールに含まれる複数のパートから処理対象とするパートを選択する選択手段と、前記選択手段により選択されたパートを転送又は保存する処理を行う第２の処理手段と、を備えることを特徴とする電子メール受信装置。
【請求項２】
前記特性情報は、前記複数のパートが１のデータ発生源から得られ、且つ、パート毎に属性が相違することを示すものであることを特徴とする請求項１記載の電子メール受信装置。
【請求項３】
前記属性は、各パートがカラーデータであるか、又はモノクロデータであるかを示す色情報を含むことを特徴とする請求項２記載の電子メール受信装置。
【請求項４】
前記属性は、各パートを構成する画像データの解像度を示す解像度情報を含むことを特徴とする請求項２又は３記載の電子メール受信装置。
【請求項５】
前記設定手段は、前記受信手段により受信されたマルチパートメールに含まれる複数のパートを全て処理対象とする第１の設定と、前記第１の処理手段によりデコード処理できたパートを処理対象とする第２の設定と、を設定可能であることを特徴とする請求項１乃至４のいずれか１に記載の電子メール受信装置。
【請求項６】
前記マルチパートメールに含まれるパートをデコード処理する機能を備えた１又は複数の画像形成装置と通信可能に接続されており、
前記受信手段により受信されたマルチパートメールに含まれる複数のパートの一部又は全部を、前記画像形成装置にデコード処理させるべく、前記画像形成装置に送信する送信手段を備え、
前記記憶手段は、前記画像形成装置による前記デコード処理の結果を更に格納し、前記設定手段は、前記受信手段により受信されたマルチパートメールに含まれる複数のパートを全て処理対象とする第１の設定と、前記第１の処理手段によりデコード処理できたパートを処理対象とする第２の設定と、前記第１の処理手段及び前記画像形成装置のいずれかによりデコード処理できたパートを処理対象とする第３の設定と、を設定可能であることを特徴とする請求項１乃至４のいずれか１に記載の電子メール受信装置。
【発明の詳細な説明】
【技術分野】
【０００１】
本発明は、複数のパートを含むマルチパートメール（multipart mail）を受信する機能を備えた電子メール受信装置に関するものである。
【背景技術】
【０００２】
複数のパート（ここでは、複数の画像データ）を含むマルチパートメールを受信する機能を備えた従来の電子メール受信装置の中には、受信したマルチパートメールに含まれている画像データを、ＬＡＮ（Local Area Network）等を介して接続される画像データ保存用の端末装置に転送するものがある（例えば、特許文献１参照）。なお、マルチパートメールには、１のデータ発生源（ここでは、１の画像）から得られた複数のパート（ここでは、１の画像から得られた複数の画像データ）が含まれている。一方、電子メール受信装置から転送された画像データを受信した端末装置は、ＨＤＤ（Hard Disk Drive）等に画像データを格納することにより、画像データを保存するようになっている。また、上記従来の電子メール受信装置の中には、受信したマルチパートメールに含まれている画像データを自装置のＨＤＤ等に格納することにより、画像データを保存するものもある。
【特許文献１】特開２００２−３４４６８８号公報
【発明の開示】
【発明が解決しようとする課題】
【０００３】
しかしながら、上記従来の電子メール受信装置は、マルチパートメールに含まれている複数のパートの内、ユーザが所望するパートを端末装置に転送したり、自装置に保存することができないため、利便性が充分ではなかった。
【０００４】
本発明は、かかる課題に鑑みてなされたものであり、マルチパートメールを受信する電子メール受信装置において、ユーザが所望するパートを転送又は保存することができる電子メール受信装置を提供することを目的とする。
【課題を解決するための手段】
【０００５】
請求項１記載の電子メール受信装置は、それぞれ特性情報が付加された複数のパートを含むマルチパートメールを受信する電子メール受信装置であって、前記マルチパートメールを受信する受信手段と、前記特性情報に基づいて、前記受信手段により受信されたマルチパートメールに含まれる複数のパートの一部又は全部をデコード処理する第１の処理手段と、前記第１の処理手段による前記デコード処理の結果を格納する記憶手段と、処理対象とするパートを設定する設定手段と、前記設定手段により設定された内容、及び前記記憶手段に格納されている前記デコード処理の結果に基づいて、前記受信手段により受信されたマルチパートメールに含まれる複数のパートから処理対象とするパートを選択する選択手段と、前記選択手段により選択されたパートを転送又は保存する処理を行う第２の処理手段と、を備えることを特徴としている。
【０００６】
上記構成によれば、受信手段により、それぞれ特性情報が付加された複数のパートを含むマルチパートメールが受信され、特性情報に基づいて、第１の処理手段により、受信されたマルチパートメールに含まれる複数のパートの一部又は全部がデコード処理され、記憶手段には、デコード処理の結果が格納されており、設定手段により、処理対象とするパートが設定される。そして、設定された内容、及び格納されているデコード処理の結果に基づいて、選択手段により、受信されたマルチパートメールに含まれる複数のパートから処理対象とするパートが選択され、第２の処理手段により、選択されたパートが転送又は保存される。
【０００７】
従って、処理（転送又は保存）対象とするパートの設定、及びデコード処理の結果に基づいて選択されたパートが転送又は保存されるため、処理対象とするパートを適正に設定することにより、ユーザが所望するパートを転送又は保存することができる。例えば、処理対象とするパートを電子メール受信装置がデコード処理できたパートに設定することにより、電子メール受信装置がデコード処理できたパートを転送又は保存することができる。
【０００８】
請求項２記載の電子メール受信装置は、請求項１記載の電子メール受信装置において、前記特性情報は、前記複数のパートが１のデータ発生源から得られ、且つ、パート毎に属性が相違することを示すものであることを特徴としている。
【０００９】
上記構成によれば、受信手段により、複数のパートが１のデータ発生源から得られ、且つ、パート毎に属性が相違することを示す特性情報がそれぞれ付加された複数のパートを含むマルチパートメールが受信される。
【００１０】
従って、複数のパートが１のデータ発生源から得られ、且つ、パート毎に属性が相違することを示す特性情報がそれぞれ付加された複数のパートを含むマルチパートメールが受信されるため、特性情報に基づいて、デコード処理可能なパートを容易に選択することができる。
【００１１】
請求項３記載の電子メール受信装置は、請求項２記載の電子メール受信装置において、前記属性は、各パートがカラーデータであるか、又はモノクロデータであるかを示す色情報を含むことを特徴としている。
【００１２】
上記構成によれば、受信手段により、複数のパートが１のデータ発生源から得られ、且つ、カラーデータであるか、又はモノクロデータであるかを示す色情報を含む属性がパート毎に相違することを示す特性情報がそれぞれ付加された複数のパートを含むマルチパートメールが受信される。
【００１３】
従って、属性に含まれる色情報に基づいて、デコード処理可能なパートを容易に選択することができる。
【００１４】
請求項４記載の電子メール受信装置は、請求項２又は３記載の電子メール受信装置において、前記属性は、各パートを構成する画像データの解像度を示す解像度情報を含むことを特徴としている。
【００１５】
上記構成によれば、受信手段により、複数のパートが１のデータ発生源から得られ、且つ、各パートを構成する画像データの解像度を示す解像度情報を含む属性がパート毎に相違することを示す特性情報がそれぞれ付加された複数のパートを含むマルチパートメールが受信される。
【００１６】
従って、属性に含まれる色情報に基づいて、デコード処理可能なパートを容易に選択することができる。
【００１７】
請求項５記載の電子メール受信装置は、請求項１乃至４のいずれか１に記載の電子メール受信装置において、前記設定手段は、前記受信手段により受信されたマルチパートメールに含まれる複数のパートを全て処理対象とする第１の設定と、前記第１の処理手段によりデコード処理できたパートを処理対象とする第２の設定と、を設定可能であることを特徴としている。
【００１８】
上記構成によれば、設定手段により、受信されたマルチパートメールに含まれる複数のパートを全て処理対象とする第１の設定と、前記第１の処理手段によりデコード処理できたパートを処理対象とする第２の設定と、の内、いずれか１が設定される。
【００１９】
従って、受信されたマルチパートメールに含まれる複数のパートを全て処理（転送又は保存）対象とする第１の設定が設定された場合、複数のパートを全て転送又は保存することができる。また、電子メール受信装置がデコード処理できたパートを処理対象とする第２の設定が設定された場合、電子メール受信装置がデコード処理できたパートを転送又は保存することができる。
【００２０】
請求項６記載の電子メール受信装置は、請求項１乃至４のいずれか１に記載の電子メール受信装置において、前記マルチパートメールに含まれるパートをデコード処理する機能を備えた１又は複数の画像形成装置と通信可能に接続されており、前記受信手段により受信されたマルチパートメールに含まれる複数のパートの一部又は全部を、前記画像形成装置にデコード処理させるべく、前記画像形成装置に送信する送信手段を備え、前記記憶手段は、前記画像形成装置による前記デコード処理の結果を更に格納し、前記設定手段は、前記受信手段により受信されたマルチパートメールに含まれる複数のパートを全て処理対象とする第１の設定と、前記第１の処理手段によりデコード処理できたパートを処理対象とする第２の設定と、前記第１の処理手段及び前記画像形成装置のいずれかによりデコード処理できたパートを処理対象とする第３の設定と、を設定可能であることを特徴としている。
【００２１】
上記構成によれば、送信手段により、受信されたマルチパートメールに含まれる複数のパートの一部又は全部が、マルチパートメールに含まれるパートをデコード処理する機能を備えた１又は複数の画像形成装置に送信され、記憶手段には、第１の処理手段によるデコード処理の結果、及び画像形成装置によるデコード処理の結果が格納されており、設定手段により、受信されたマルチパートメールに含まれる複数のパートを全て処理対象とする第１の設定と、第１の処理手段によりデコード処理できたパートを処理対象とする第２の設定と、第１の処理手段及び画像形成装置のいずれかによりデコード処理できたパートを処理対象とする第３の設定と、の内、いずれか１が設定される。そして、設定された内容、及び格納されているデコード処理の結果に基づいて、選択手段により、受信されたマルチパートメールに含まれる複数のパートから処理対象とするパートが選択される。
【００２２】
従って、受信されたマルチパートメールに含まれる複数のパートを全て処理（転送又は保存）対象とする第１の設定が設定された場合、複数のパートを全て転送又は保存することができる。また、電子メール受信装置がデコード処理できたパートを処理対象とする第２の設定が設定された場合、電子メール受信装置がデコード処理できたパートを転送又は保存することができる。また、電子メール受信装置及び画像形成装置のいずれかがデコード処理できたパートを処理対象とする第３の設定が設定された場合、電子メール受信装置及び画像形成装置のいずれかがデコード処理できたパートを転送又は保存することができる。
【発明の効果】
【００２３】
請求項１記載の電子メール受信装置によれば、処理（転送又は保存）対象とするパートの設定、及びデコード処理の結果に基づいて選択されたパートが転送又は保存されるため、処理対象とするパートを適正に設定することにより、ユーザが所望するパートを転送又は保存することができる。例えば、処理対象とするパートを電子メール受信装置がデコード処理できたパートに設定することにより、電子メール受信装置がデコード処理できたパートを転送又は保存することができる。
【００２４】
請求項２記載の電子メール受信装置によれば、複数のパートが１のデータ発生源から得られ、且つ、パート毎に属性が相違することを示す特性情報がそれぞれ付加された複数のパートを含むマルチパートメールが受信されるため、特性情報に基づいて、デコード処理可能なパートを容易に選択することができる。
【００２５】
請求項３記載の電子メール受信装置によれば、属性に含まれる色情報に基づいて、デコード処理可能なパートを容易に選択することができる。
【００２６】
請求項４記載の電子メール受信装置によれば、属性に含まれる色情報に基づいて、デコード処理可能なパートを容易に選択することができる。
【００２７】
請求項５記載の電子メール受信装置によれば、受信されたマルチパートメールに含まれる複数のパートを全て処理（転送又は保存）対象とする第１の設定が設定された場合、複数のパートを全て転送又は保存することができる。また、電子メール受信装置がデコード処理できたパートを処理対象とする第２の設定が設定された場合、電子メール受信装置がデコード処理できたパートを転送又は保存することができる。
【００２８】
請求項６記載の電子メール受信装置によれば、受信されたマルチパートメールに含まれる複数のパートを全て処理（転送又は保存）対象とする第１の設定が設定された場合、複数のパートを全て転送又は保存することができる。また、電子メール受信装置がデコード処理できたパートを処理対象とする第２の設定が設定された場合、電子メール受信装置がデコード処理できたパートを転送又は保存することができる。また、電子メール受信装置及び画像形成装置のいずれかがデコード処理できたパートを処理対象とする第３の設定が設定された場合、電子メール受信装置及び画像形成装置のいずれかがデコード処理できたパートを転送又は保存することができる。
【発明を実施するための最良の形態】
【００２９】
以下、本発明に係る実施形態を図面に基づいて説明する。図１は、本実施形態に係る電子メール受信装置の一例を示すブロック図である。図示するように、電子メール受信装置１は、制御部（ＣＰＵ：Central Processing Unit）２、ＲＯＭ（Read Only Memory）３、ＲＡＭ（Random Access Memory）４、原稿読取部５、コーデック（ＣＯＤＥＣ：Coder and Decoder）６、画像メモリ７、印刷部８、操作部９、表示部１０、モデム１１、ＮＣＵ（Network Control Unit）１２、ＨＤＤ（Hard Disk Drive）１３、及びＬＡＮ Ｉ／Ｆ（Local Area Network Interface）１４を備えたものであって、各部２乃至１４はバス１５によって通信可能に接続されている。この電子メール受信装置１は、それぞれ特性情報が付加された複数のパートを含むマルチパートメール（電子メール）を受信するものであるが、本実施形態においては、各パートに画像データが含まれている場合について説明する。
【００３０】
制御部２は、ＲＯＭ３に格納された制御プログラムに従って、この電子メール受信装置１を構成する各部を制御し、後述するメール受信部２ａ（図３参照）等として機能するものである。ＲＡＭ４は、制御部２の主メモリ、ワークエリア等として機能するものである。
【００３１】
原稿読取部５は、原稿の画像を読み取って画像データを生成し、所定の出力先に出力するものである。この原稿読取部５は、図示しないが、ＣＣＤ（Charge Coupled Device）等のイメージセンサや光源等の光学系を有するフラットベッドスキャナ（ＦＢＳ：Flat Bed Scanner）や原稿自動供給装置（ＡＤＦ：Automatic Document Feeder）等の原稿供給機構等を有して構成されている。
【００３２】
コーデック６（第１の処理手段に相当する）は、画像データの送受信等のために画像データをエンコード（符号化）し、エンコードされている画像データをデコード（復号）するものである。マルチパートメールにより受信した画像データは、このコーデック６によりデコード処理される。
【００３３】
画像メモリ７は、コーデック６においてエンコードされた画像データ、受信した画像データ等を格納するものである。印刷部８は、画像メモリ７から読み出された画像データを印刷出力するものである。この印刷部８により、マルチパートメールにより受信した画像データが印刷出力される。印刷部８における印刷方式としては、例えば、電子写真方式を用いることができる。
【００３４】
操作部９は、ユーザが情報を入力する入力キー、タッチパネル等から構成されており、ユーザによる各種の操作入力は、この操作部９を介して行われる。表示部１０は、例えば操作部９に並設された、各種の設定状態や電子メール受信装置１の動作状態などを文字や図形などで表示する液晶表示装置（ＬＣＤ：Liquid Crystal Display）や、点灯又は消灯で表示するＬＥＤランプなどを備えている。
【００３５】
モデム１１は、例えばＩＴＵ−Ｔ（国際電気通信連合電気通信標準化部門）の勧告Ｖ．３４規格又はこれと同様のものに従った送受信データの変調及び復調を行うものである。ＮＣＵ１２は、電話回線を制御して電話をかけたり、切ったりする回線網制御装置であり、ＰＳＴＮ（Public Switched Telephone Network）１６を介して、Ｇ３ファクシミリ装置（不図示）と通信可能に接続されている。
【００３６】
ＨＤＤ１３は、マルチパートメールにより受信した画像データを格納するものである。ＬＡＮ Ｉ／Ｆ１４は、ＬＡＮ１７と電子メール受信装置１とを通信可能に接続するものである。ＬＡＮ１７には、ルータ１８が接続されると共に、ルータ１８及びインターネット１９を介してインターネットファクシミリ装置２０が接続されている。また、ＬＡＮ１７には、端末装置２１、及び画像形成装置２２が接続されており、電子メール受信装置１、端末装置２１、及び画像形成装置２２は、ＬＡＮ１７を介して通信可能に接続されている。ここでは、端末装置２１は、電子メール受信装置１から電子メールにより転送される画像データを受信し、受信した画像データを格納するものである。画像形成装置２２は、画像データをデコード処理する機能、及び画像データを印刷出力するプリント機能を備えており、電子メール受信装置１から送信される画像データをデコード処理し、印刷出力するものである。
【００３７】
インターネットファクシミリ装置２０は、図示しないが、ＣＰＵ、ＲＯＭ、ＲＡＭ、スキャナ等を有しており、複数のパート（ここでは、画像データ）を含むマルチパートメールを生成するものである。すなわち、複数の画像データに、これら複数の画像データが１のデータ発生源（ここでは、１のカラー画像）から得られ、且つ、パート（ここでは、画像データ）毎に属性が相違することを示す特性情報を付加したマルチパートメールを生成し、生成したマルチパートメールを電子メール受信装置１に送信するものである。
【００３８】
インターネットファクシミリ装置２０において、マルチパートメールが生成される手順について例示する。まず、インターネットファクシミリ装置２０は、スキャナにより１のカラー原稿からカラー画像を読み取ってカラー画像データを生成する。続いて、生成したカラー画像データをモノクロ画像データに変換する処理を行って、モノクロ画像データを生成する。次に、生成したカラー画像データの解像度、及びモノクロ画像データの解像度を変換する処理を行って、生成したカラー画像データ、及びモノクロ画像データと解像度が相異なるカラー画像データ、及びモノクロ画像データを生成する。例えば、生成したカラー画像データの解像度が「６００×６００dpi」である場合は、このカラー画像データと解像度が相異なる「４００×４００dpi」、「２００×２００dpi」等のカラー画像データを生成する。また、例えば、生成したモノクロ画像データの解像度が「６００×６００dpi」である場合は、このモノクロ画像データと解像度が相異なる「４００×４００dpi」、「２００×２００dpi」等のモノクロ画像データを生成する。次に、このようにして生成した複数の画像データに、これら複数の画像データが１のカラー画像から得られ、且つ、画像データ毎に属性が相違することを示す特性情報を付加して、マルチパートメールを生成する。すなわち、複数の画像データを各パートとしたＭＩＭＥ（Multipurpose Internet Mail Extensions）のマルチパートメールを生成するとともに、生成したマルチパートメールのヘッダに特性情報を含める処理を行う。
【００３９】
図２は、マルチパートメールにより電子メール受信装置１に送信される複数の画像データに付加される特性情報について説明するための図である。インターネットファクシミリ装置２０により複数の画像データに付加される特性情報は、図２（ａ）に示すように、マルチパートメールが複数の画像データを含むことを示す通知情報（ここでは、multipart）、及び複数の画像データの内、いずれか１を印刷出力する旨の指示を表す指示情報（ここでは、alternative）と、図２（ｂ）に示すように、複数の画像データのファイル名（ここでは、「ＡＡＡ−Ｃ−６００６００」、「ＡＡＡ−Ｃ−４００４００」、「ＡＡＡ−Ｃ−２００２００」、「ＡＡＡ−Ｍ−６００６００」、「ＡＡＡ−Ｍ−４００４００」、「ＡＡＡ−Ｍ−２００２００」）と、からなるものである。これら複数の画像データのファイル名は、同一の文字列である第１の部分（「ＡＡＡ」）と、画像データがカラーデータ（ここでは、カラー画像データ）であるか、又はモノクロデータ（ここでは、モノクロ画像データ）であるかを示す色情報である第２の部分（「Ｃ」、「Ｍ」）と、画像データの解像度を示す解像度情報である第３の部分（「６００６００」、「４００４００」、「２００２００」）と、からなる。すなわち、特性情報としてマルチパートメールに含まれる複数の画像データの各ファイル名に、各画像データの属性として、色情報及び解像度情報が含まれている。ここでは、第２の部分においては、画像データがカラー画像データである場合は「Ｃ」が付与され、画像データがモノクロ画像データである場合は「Ｍ」が付与される。また、第３の部分においては、画像データの解像度が「６００×６００dpi」（主走査方向６００dpi、副走査方向６００dpi）である場合は「６００６００」が付与され、画像データの解像度が「４００×４００dpi」である場合は「４００４００」が付与され、画像データの解像度が「２００×２００dpi」である場合は「２００２００」が付与される。
【００４０】
なお、ここでは、マルチパートメールが、複数の画像データ（パート）に、これら複数の画像データ（パート）が１のカラー画像（データ発生源）から得られ、且つ、画像データ（パート）毎に属性が相違することを示す特性情報が付加されたものである場合について説明した。これに限らず、マルチパートメールは、例えば、１の文書から得られたテキストデータ及びＨＴＭＬ（Hypertext Markup Language）データに、これら２つのデータが１の文書から得られ、且つ、データ毎に属性が相違することを示す特性情報が付加されたものであってもよい。また、ここでは、色情報がカラー画像データであるか、又はモノクロ画像データであるかを示す場合について説明したが、これに限らず、色情報は、各パートがそれぞれカラーデータであるか、又はモノクロデータあるかを示す情報であればよい。
【００４１】
次に、制御部２の機能構成について説明する。制御部２は、図３に示すように、メール受信部２ａ、属性判別部２ｂ、デコード処理パート選択部２ｃ、送信部２ｄ、デコード処理判定部２ｅ、記憶部２ｆ、受付部２ｇ、設定部２ｈ、処理対象パート選択部２ｉ、及び転送保存処理部２ｊを機能的に備えている。
【００４２】
メール受信部２ａ（受信手段に相当する）は、インターネットファクシミリ装置２０により送信されたマルチパートメールを受信するものである。具体的には、複数の画像データに、これら複数の画像データが１のカラー画像から得られ、且つ、属性が相違することを示す特性情報が付加されたマルチパートメールを、インターネットファクシミリ装置２０から受信するものである。なお、ここでは、解像度「６００×６００dpi」のカラー画像データ、解像度「４００×４００dpi」のカラー画像データ、解像度「２００×２００dpi」のカラー画像データ、解像度「６００×６００dpi」のモノクロ画像データ、解像度「４００×４００dpi」のモノクロ画像データ、解像度「２００×２００dpi」のモノクロ画像データ、の６つの画像データに、特性情報が付加されたマルチパートメールを受信した場合について説明する。
【００４３】
属性判別部２ｂは、メール受信部２ａにより受信されたマルチパートメールに含まれている特性情報に基づいて、複数の画像データが１のカラー画像から得られたものであると判断するものである。具体的には、特性情報に含まれている複数の画像データのファイル名の内、第１の部分が同一の文字列であることから、複数の画像データが１のカラー画像から得られたものであると判断する。なお、ここでは、複数の画像データのファイル名に基づいて、複数の画像データが１のカラー画像から得られたものであると判断する場合について説明したが、特性情報に含まれる通知情報により、複数の画像データが１のカラー画像から得られたものとである判断することもできる。
【００４４】
また、属性判別部２ｂは、メール受信部２ａにより受信されたマルチパートメールに含まれている複数の画像データの属性に含まれる色情報、及び解像度情報を判別するものである。すなわち、メール受信部２ａにより受信されたマルチパートメールに含まれている複数の画像データ毎の解像度と、それぞれの画像データがカラー画像データであるか又はモノクロ画像データであるかと、を判別する。具体的には、特性情報に含まれている画像データのファイル名の第２の部分が「Ｃ」である場合は、その画像データをカラー画像データであると判別し、第２の部分が「Ｍ」である場合は、その画像データをモノクロ画像データであると判別する。また、画像データのファイル名の第３の部分が「６００６００」である場合は、その画像データの解像度を「６００×６００dpi」であると判別し、第３の部分が「４００４００」である場合は、その画像データの解像度を「４００×４００dpi」であると判別し、第３の部分が「２００２００」である場合は、その画像データの解像度を「２００×２００dpi」であると判別する。例えば、画像データのファイル名が「ＡＡＡ−Ｃ−６００６００」である場合は、その画像データを解像度「６００×６００dpi」のカラー画像データであると判別する。
【００４５】
デコード処理パート選択部２ｃは、属性判別部２ｂにより属性が判別された複数の画像データの内、コーデック６でデコード処理可能な画像データを選択するものである。具体的には、コーデック６が、解像度「４００×４００dpi」以下のカラー画像データ、及びモノクロ画像データをデコード処理可能である場合、複数（ここでは、６つ）の画像データの内、解像度「４００×４００dpi」のカラー画像データ、解像度「２００×２００dpi」のカラー画像データ、解像度「４００×４００dpi」のモノクロ画像データ、解像度「２００×２００dpi」のモノクロ画像データ、の４つの画像データを選択する。デコード処理パート選択部２ｃにより選択されたコーデック６でデコード処理可能な画像データは、コーデック６によりデコード処理され、印刷部８により印刷出力される。なお、ここでは、コーデック６でデコード処理可能な画像データは、マルチパートメールに含まれる複数の画像データの一部（６つの画像データの内の４つ）であるが、コーデック６でマルチパートメールに含まれる複数の画像データの全部をデコード処理可能である場合、マルチパートメールに含まれる複数の画像データの全部が選択され、デコード処理される。
【００４６】
また、デコード処理パート選択部２ｃは、属性判別部２ｂにより属性が判別された複数の画像データの内、画像形成装置２２でデコード処理可能な画像データを選択するものである。具体的には、画像形成装置２２が、解像度「６００×６００dpi」以下のモノクロ画像データをデコード処理可能である場合、複数（ここでは、６つ）の画像データの内、解像度「６００×６００dpi」のモノクロ画像データ、解像度「４００×４００dpi」のモノクロ画像データ、解像度「２００×２００dpi」のモノクロ画像データ、の３つの画像データを選択する。なお、画像形成装置２２がデコード処理可能な画像データの範囲、すわわち、カラー画像データをデコード処理可能であるか否か、モノクロ画像データをデコード処理可能であるか否か、デコード処理可能な画像データの解像度の上限値の情報は、予めＲＡＭ４に格納されており、この情報に基づいて、デコード処理パート選択処理部２ｃは、画像形成装置２２でデコード処理可能な画像データを選択する。
【００４７】
送信部２ｄ（送信手段に相当する）は、デコード処理パート選択部２ｃにより選択された画像形成装置２２でデコード処理可能な画像データを、画像形成装置２２にデコード処理させるべく、画像形成装置２２に送信するものである。送信部２ｄにより送信された画像データは、画像形成装置２２によりデコード処理され、印刷出力される。なお、ここでは、画像形成装置２２でデコード処理可能な画像データは、マルチパートメールに含まれる複数の画像データの一部（６つの画像データの内の３つ）であるため、複数の画像データの一部が画像形成装置２２に送信され、デコード処理されるが、画像形成装置２２でマルチパートメールに含まれる複数の画像データの全部をデコード処理可能である場合、複数の画像データの全部が画像形成装置２２に送信され、デコード処理される。
【００４８】
デコード処理判定部２ｅは、コーデック６が、デコード処理パート選択部２ｃにより選択された画像データをデコード処理できたか否か、及び、画像形成装置２２が、送信部２ｄにより送信された画像データをデコード処理できたか否かを判定するものである。例えば、画像データに誤ったファイル名が付与されており、それに基づいて属性が判別され、判別された属性に基づいて選択された画像データは、コーデック６、又は画像形成装置２２によりデコード処理可能な画像データの解像度の上限値より、解像度が高い場合がある。このような場合、コーデック６は、デコード処理パート選択部２ｃにより選択された画像データをデコード処理できず、画像形成装置２２は、送信部２ｄにより送信された画像データをデコード処理できないため、デコード処理判定部２ｅによりデコード処理できなかったと判定される。デコード処理判定部２ｅにより判定されたコーデック６によるデコード処理の結果、及び画像形成装置２２によるデコード処理の結果は、記憶部２ｆに書き込まれる。
【００４９】
なお、ここでは、コーデック６において、デコード処理パート選択部２ｃにより選択された解像度「４００×４００dpi」のカラー画像データ、解像度「２００×２００dpi」のカラー画像データ、解像度「４００×４００dpi」のモノクロ画像データ、解像度「２００×２００dpi」のモノクロ画像データの内、解像度「４００×４００dpi」のカラー画像データ、解像度「４００×４００dpi」のモノクロ画像データをデコード処理できず、解像度「２００×２００dpi」のカラー画像データ、解像度「２００×２００dpi」のモノクロ画像データをデコード処理できた場合について説明する。また、画像形成装置２２において、送信部２ｄにより送信された解像度「６００×６００dpi」のモノクロ画像データ、解像度「４００×４００dpi」のモノクロ画像データ、解像度「２００×２００dpi」のモノクロ画像データの内、解像度「６００×６００dpi」のモノクロ画像データをデコード処理できず、解像度「４００×４００dpi」のモノクロ画像データ、解像度「２００×２００dpi」のモノクロ画像データをデコード処理できた場合について説明する。
【００５０】
記憶部２ｆ（記憶手段に相当する）は、コーデック６によるデコード処理の結果、及び画像形成装置２２によるデコード処理の結果を格納しているものである。ここでは、記憶部２ｆは、コーデック６によりデコード処理できた画像データの情報として、解像度「２００×２００dpi」のカラー画像データ、解像度「２００×２００dpi」のモノクロ画像データの情報を格納しており、画像形成装置２２によりデコード処理できた画像データの情報として、解像度「４００×４００dpi」のモノクロ画像データ、解像度「２００×２００dpi」のモノクロ画像データの情報を格納している。
【００５１】
受付部２ｇは、外部からの操作入力を操作部９を介して受け付けるものである。ユーザは、メール受信部２ａにより受信されたマルチパートメールに含まれている複数の画像データの全部を処理（転送又は保存）対象とする第１の設定、コーデック６（自装置１）によりデコード処理できた画像データを処理対象とする第２の設定、コーデック６（自装置１）及び画像形成装置２２のいずれかによりデコード処理できた画像データを処理対象とする第３の設定と、の内、いずれか１を操作部９から選択することができる。受付部２ｇは、操作部９を介してユーザにより選択されたいずれか１の設定を受け付ける。
【００５２】
設定部２ｈ（設定手段に相当する）は、処理（転送又は保存）対象とする画像データを設定するものである。具体的には、受付部２ｇにより受け付けられた設定を、処理対象パート選択部２ｉに設定する。従って、設定部２ｈは、第１の設定と、第２の設定と、第３の設定と、を処理対象パート選択部２ｉに設定可能である
【００５３】
処理対象パート選択部２ｉ（選択手段に相当する）は、設定部２ｈにより設定された内容、記憶部２ｆに格納されているコーデック６によるデコード処理の結果、及び画像形成装置２２によるデコード処理の結果に基づいて、メール受信部２ａにより受信されたマルチパートメールに含まれている複数の画像データから処理（転送又は保存）対象とする画像データを選択するものである。具体的には、処理対象パート選択部２ｉは、設定部２ｈにより第１の設定が設定されている場合、メール受信部２ａにより受信されたマルチパートメールに含まれている複数の画像データを全て処理対象として選択する。また、処理対象パート選択部２ｉは、設定部２ｈにより第２の設定が設定されている場合、記憶部２ｆに格納されているコーデック６によるデコード処理の結果に基づいて、複数の画像データの内、コーデック６によりデコード処理できた画像データ、すなわち、６つの画像データの内、解像度「２００×２００dpi」のカラー画像データ、解像度「２００×２００dpi」のモノクロ画像データを処理対象として選択する。また、処理対象パート選択部２ｉは、設定部２ｈにより第３の設定が設定されている場合、記憶部２ｆに格納されているコーデック６によるデコード処理の結果、及び画像形成装置２２によるデコード処理の結果に基づいて、複数の画像データの内、コーデック６及び画像形成装置２２のいずれかによりデコード処理できた画像データ、すなわち、６つの画像データの内、解像度「２００×２００dpi」のカラー画像データ、解像度「４００×４００dpi」のモノクロ画像データ、解像度「２００×２００dpi」のモノクロ画像データを処理対象として選択する。
【００５４】
転送保存処理部２ｊ（第２の処理手段に相当する）は、処理対象パート選択部２ｉにより選択された画像データを転送又は保存する処理を行うものである。具体的には、処理対象パート選択部２ｊにより選択された画像データをＨＤＤ１３に書き込むことにより、処理対象パート選択部２ｊにより選択された画像データを保存するか、又は、処理対象パート選択部２ｊにより選択された画像データを端末装置２１に転送する処理を行う。転送保存処理部２ｊは、画像データを端末装置２１に転送する場合、処理対象パート選択部２ｉにより選択された画像データを添付した電子メールを生成し、生成した電子メールを端末装置２１に転送する。なお、ここでは、処理対象パート選択部２ｉにより選択された画像データを電子メールにより端末装置２１に転送する場合について説明したが、処理対象パート選択部２ｉにより選択された画像データをＧ３ファクシミリ装置（不図示）に転送（ファクシミリ送信）するようにしてもよい。
【００５５】
以下、インターネットファクシミリ装置２０から、マルチパートメールを受信した場合に、電子メール受信装置１において行われる動作について、図４に示すフローチャートに基づいて説明する。
【００５６】
メール受信部２ａは、まず、マルチパートメールを受信したか否かを判断する（Ｓ１）。ここで、マルチパートを受信していないと判断した場合には（Ｓ１：ＮＯ）、待機状態となる。逆に、マルチパートメールを受信したと判断した場合（Ｓ1：ＹＥＳ）、すなわち、インターネットファクシミリ装置２０から送信されたマルチパートメールをメール受信部２ａが受信した場合、属性判別部２ｂは、受信されたマルチパートメールに含まれている複数の画像データの属性を判別する（Ｓ２）。
【００５７】
続いて、デコード処理パート選択部２ｃは、属性判別部２ｂにより属性が判別された複数の画像データの内、コーデック６によりデコード処理可能な画像データを選択する（Ｓ３）。コーデック６は、デコード処理パート選択部２ｃにより選択された画像データをデコード処理する（Ｓ４）。次に、デコード処理パート選択部２ｃは、属性判別部２ｂにより属性が判別された複数の画像データの内、画像形成装置２２によりデコード処理可能な画像データを選択する（Ｓ５）。送信部２ｄは、デコード処理パート選択部２ｃにより選択された画像データを画像形成装置２２に送信する（Ｓ６）。画像形成装置２２は、送信部２ｄにより送信された画像データをデコード処理する。
【００５８】
次に、デコード処理判定部２ｅは、コーデック６が、デコード処理パート選択部２ｃにより選択された画像データをデコード処理できたか否か、及び、画像形成装置２２が、送信部２ｄにより送信された画像データをデコード処理できたか否かを判定する（Ｓ７）。続いて、デコード処理判定部２ｅは、判定したコーデック６によるデコード処理の結果、及び画像形成装置２２によるデコード処理の結果を記憶部２ｆに書き込む（Ｓ８）。
【００５９】
次に、処理対象パート選択部２ｉは、設定部２ｈにより、第１の設定、第２の設定、及び第３の設定の内、いずれが設定されているか否かを判断する（Ｓ９）。処理対象パート選択部２ｉは、第１の設定が設定されていると判断した場合（Ｓ９：第１）、メール受信部２ａにより受信されたマルチパートメールに含まれている複数の画像データを全て処理（転送又は保存）対象として選択する（Ｓ１０）。また、処理対象パート選択部２ｉは、第２の設定が設定されていると判断した場合（Ｓ９：第２）、記憶部２ｆに格納されているコーデック６によるデコード処理の結果に基づいて、複数の画像データの内、コーデック６によりデコード処理できた画像データを処理対象として選択する（Ｓ１１）。また、処理対象パート選択部２ｉは、第３の設定が設定されていると判断した場合（Ｓ９：第３）、記憶部２ｆに格納されているコーデック６によるデコード処理の結果、画像形成装置２２によるデコード処理の結果に基づいて、複数の画像データの内、コーデック６及び画像形成装置２２のいずれかによりデコード処理できた画像データを処理対象として選択する（Ｓ１２）。そして、ステップＳ１０、Ｓ１１、又はＳ１２の動作の後、転送保存処理部２ｊは、処理対象パート選択部２ｊにより選択された画像データを転送又は保存する（Ｓ１３）。
【００６０】
このように、処理（転送又は保存）対象とする画像データの設定（第１の設定、第２の設定、第３の設定）、及びデコード処理の結果に基づいて選択された画像データが転送又は保存されるため、処理対象とする画像データを適正に設定することにより、ユーザが所望する画像データを転送又は保存することができる。
【００６１】
例えば、ユーザは、第１の設定を選択した場合、受信されたマルチパートメールに含まれる複数の画像データを全て転送又は保存させることができる。また、例えば、ユーザは、第２の設定を選択した場合、電子メール受信装置１によりデコード処理できた画像データを転送又は保存させることができる。また、ユーザは、第３の設定を選択した場合、電子メール受信装置１及び画像形成装置２２のいずれかがデコード処理できた画像データを転送又は保存させることができる。
【００６２】
なお、本実施形態においては、電子メール受信装置１に通信可能に接続されている画像形成装置２２が１台である場合に説明したが、電子メール受信装置１に通信可能に接続される画像形成装置２２は、複数台であってもよい。この場合、処理対象パート選択処理部２ｉを、第３の設定が設定されている際に、コーデック６及び複数台の画像形成装置２２のいずれかによりデコード処理できた画像データを選択する構成とすることにより、電子メール受信装置１及び複数台の画像形成装置２２のいずれかによりデコード処理できた画像データを転送又は保存することができる。
【００６３】
また、本実施形態においては、電子メール受信装置１が、インターネット１９を介して、インターネットファクシミリ装置２０からマルチパートメールを受信する場合について説明したが、インターネット１９ではなく、ネットワーク（例えば、ＬＡＮ１７等）を介して、電子メール受信装置１がインターネットファクシミリ装置２０からマルチパートメールを受信するようにしてもよい。すなわち、電子メール受信装置１とインターネットファクシミリ装置２０とが、インターネット１９を介さず、ＬＡＮ１７等を介して接続される形態であってもよい。
【図面の簡単な説明】
【００６４】
【図１】本発明の実施形態に係る電子メール受信装置の一例を示したブロック図である。
【図２】画像データに付加される特性情報について説明するための図である。
【図３】制御部の機能構成の一例を示したブロック図である。
【図４】マルチパートメールを受信した場合に、電子メール受信装置において行われる動作を例示したフローチャートである。
【符号の説明】
【００６５】
１    電子メール受信装置
２    制御部
２ａ    メール受信部(受信手段）
２ｄ    送信部（送信手段）
２ｆ    記憶部（記憶手段）
２ｈ    設定部（設定手段）
２ｉ    処理対象パート選択部（選択手段）
２ｊ    転送保存処理部（第２の処理手段）
３    ＲＯＭ
４    ＲＡＭ
６    コーデック（第１の処理手段）
２２    画像形成装置
【図１】
2007102413.tif 000003
【図２】
2007102413.tif 000004
【図３】
2007102413.tif 000005
【図４】
2007102413.tif 000006